(57)【要約】【課題】蓄熱材に蓄積した熱を利用して暖房性能の向上及び省エネルギー性能の向上を図る。【解決手段】本実施形態の冷凍サイクル装置は、冷凍サイクル機構と、蓄熱材と、予熱運転実行手段と、発核手段と、吐出管路温度検知手段と、圧縮機温度推定手段と、を備える。予熱運転実行手段は、暖房運転が開始される前に圧縮機の駆動を開始することにより予熱運転を実行する。発核手段は、暖房運転が開始される前に蓄熱材を発核させる。吐出管路温度検知手段は、冷媒管路のうち圧縮機から吐出される冷媒が通過する吐出管路の温度を検知する。圧縮機温度推定手段は、吐出管路の温度から圧縮機の温度を推定する。予熱運転実行手段は、圧縮機の推定温度に応じて予熱運転を開始する。発核手段は、圧縮機の推定温度に応じて蓄熱材を発核させる。【選択図】図６
2014211250.tif 000002
【特許請求の範囲】
【請求項１】
圧縮機、室内熱交換器、減圧器、室外熱交換器及びアキュームレータが冷媒管路によって環状に接続された冷凍サイクル機構と、
前記圧縮機の周囲に配置され、外部からの熱を蓄積する蓄熱材と、
暖房運転が開始される前に前記圧縮機の駆動を開始することにより当該圧縮機を暖める予熱運転を実行する予熱運転実行手段と、
暖房運転が開始される前に前記蓄熱材を発核させる発核手段と、
前記冷媒管路のうち前記圧縮機から吐出される冷媒が通過する部分を構成する吐出管路の温度を検知する吐出管路温度検知手段と、
前記吐出管路温度検知手段が検知する前記吐出管路の温度から前記圧縮機の温度を推定する圧縮機温度推定手段と、を備え、
前記予熱運転実行手段は、前記圧縮機温度推定手段が推定した前記圧縮機の温度に応じて前記予熱運転を開始し、
前記発核手段は、前記圧縮機温度推定手段が推定した前記圧縮機の温度に応じて前記蓄熱材を発核させる冷凍サイクル装置。
【請求項２】
前記吐出管路は、前記圧縮機のうち前記蓄熱材に覆われていない部分に接続されている請求項１に記載の冷凍サイクル装置。
【請求項３】
前記圧縮機温度推定手段は、所定の時間間隔で前記圧縮機の温度を推定し、
前記予熱運転実行手段は、前記圧縮機温度推定手段が推定した前記圧縮機の温度が所定温度以下である場合に前記予熱運転を開始し、
前記発核手段は、前記圧縮機温度推定手段が推定した前記圧縮機の温度が所定温度以下である場合に前記蓄熱材を発核させる請求項１または２に記載の冷凍サイクル装置。
【請求項４】
前記圧縮機温度推定手段は、所定の時間間隔で前記圧縮機の温度を推定し、
前記発核手段は、前記圧縮機温度推定手段が推定した前記圧縮機の温度が所定温度以下である場合に前記蓄熱材を発核させ、
その後、前記圧縮機の温度が所定の値よりも高くなった後に前記圧縮機が駆動される請求項１または２に記載の冷凍サイクル装置。
【請求項５】
前回の暖房運転が終了してからの経過時間に応じて前記所定温度を低くする請求項３または４に記載の冷凍サイクル装置。
【発明の詳細な説明】
【技術分野】
【０００１】
本発明の実施形態は、冷凍サイクル装置に関する。
【背景技術】
【０００２】
例えば空気調和機に備えられる冷凍サイクル装置においては、圧縮機の周囲に蓄熱材を配置し、この蓄熱材に圧縮機からの排熱を蓄積して、その熱を利用する技術が考えられている。例えば特許文献１には、このような蓄熱材に蓄積した熱を暖房運転の始動時に利用する技術が開示されている。
【先行技術文献】
【特許文献】
【０００３】
【特許文献１】特開平２−１４３０６０号公報
【発明の概要】
【発明が解決しようとする課題】
【０００４】
本実施形態は、蓄熱材に蓄積した熱を利用して暖房性能の向上及び省エネルギー性能の向上を図るようにした冷凍サイクル装置を提供する。
【課題を解決するための手段】
【０００５】
本実施形態の冷凍サイクル装置は、冷凍サイクル機構と、蓄熱材と、予熱運転実行手段と、発核手段と、吐出管路温度検知手段と、圧縮機温度推定手段と、を備える。冷凍サイクル機構は、圧縮機、室内熱交換器、減圧器、室外熱交換器及びアキュームレータが冷媒管路によって環状に接続された構成である。蓄熱材は、圧縮機の周囲に配置され、外部からの熱を蓄積する。予熱運転実行手段は、暖房運転が開始される前に圧縮機の駆動を開始することにより当該圧縮機を暖める予熱運転を実行する。発核手段は、暖房運転が開始される前に蓄熱材を発核させる。吐出管路温度検知手段は、冷媒管路のうち圧縮機から吐出される冷媒が通過する部分を構成する吐出管路の温度を検知する。圧縮機温度推定手段は、吐出管路温度検知手段が検知する吐出管路の温度から圧縮機の温度を推定する。そして、予熱運転実行手段は、圧縮機温度推定手段が推定した圧縮機の温度に応じて予熱運転を開始する。発核手段は、圧縮機温度推定手段が推定した圧縮機の温度に応じて蓄熱材を発核させる。
【図面の簡単な説明】
【０００６】
【図１】本実施形態に係る冷凍サイクル装置の構成を概略的に示す図
【図２】圧縮機およびその周辺部分を概略的に示す平面図
【図３】圧縮機およびその周辺部分を概略的に示す側面図
【図４】経過時間と吐出管路の温度と圧縮機の推定温度との関係の一例を示す図
【図５】制御装置の動作内容を説明するための図４相当図
【図６】制御装置の動作内容を示すフローチャート
【図７】所定温度を変化させる場合の図４相当図
【図８】所定温度を変化させない場合の図４相当図
【発明を実施するための形態】
【０００７】
以下、冷凍サイクル装置の一実施形態について図面を参照しながら説明する。図１に示す冷凍サイクル装置１０は、例えば空気調和機に備えられるものであり、圧縮機１１、室内熱交換器１２、減圧器１３、室外熱交換器１４及びアキュームレータ１５を冷媒管路１６によって環状に接続した冷凍サイクル機構１７を備える。この圧縮機１１の駆動は、冷凍サイクル機構１７が搭載された空気調和機の動作全般を制御する制御装置４１によって制御される。
室内熱交換器１２は、図示しない室内機の内部に設けられている。この室内熱交換器１２の近傍には、例えば横流ファンで構成される図示しない室内送風機が設けられている。室外熱交換器１４は、図示しない室外機の内部に設けられている。この室外熱交換器１４の近傍には、例えばプロペラファンで構成される図示しない室外送風機が設けられている。減圧器１３は、例えば絞り弁などで構成されている。
【０００８】
四方弁１８は、冷房運転時及び暖房運転時、さらには暖房運転の前に実行する予熱運転時などの各種の運転時において、冷媒管路１６を流れる冷媒の循環方向を各運転に適した方向に適宜切り替える。図１は、予熱運転時及び暖房運転時における冷凍サイクル装置１０を示しており、この場合、四方弁１８は、圧縮機１１の吐出口と室内熱交換器１２とを連結し且つ室外熱交換器１４と圧縮機１１の吸入口側に設けられたアキュームレータ１５とを連結する状態に切り替わる。一方、図示はしないが、冷房運転時における冷凍サイクル装置１０では、四方弁１８は、圧縮機１１の吐出口と室外熱交換器１４とを連結し且つ室内熱交換器１２とアキュームレータ１５とを連結する状態に切り替わる。
【０００９】
この冷凍サイクル装置１０において、図１に示す予熱運転時及び暖房運転時には、圧縮機１１が駆動されると、破線矢印で示すように、当該圧縮機１１から吐出された高温高圧の冷媒が室内熱交換器１２に送られ、当該室内熱交換器１２にて放熱して凝縮する。そして、この凝縮した冷媒は、減圧器１３を通過する際に減圧され、その後、室外熱交換器１４に送られ、当該室外熱交換器１４にて吸熱して気化する。そして、室外熱交換器１４を通過した冷媒は、アキュームレータ１５内に流入して気液分離され、液体状態の冷媒がアキュームレータ１５内に残り、ガス状態の冷媒が圧縮機１１に戻されるようになっている。なお、予熱運転時においては、圧縮機１１や室内送風機は、暖房運転時よりも低い出力で駆動される。
【００１０】
また、この冷凍サイクル装置１０において、冷房運転時には、圧縮機１１が駆動されると、当該圧縮機１１から吐出された高温高圧の冷媒が室外熱交換器１４に送られ、当該室外熱交換器１４にて放熱して凝縮する。そして、この凝縮した冷媒は、減圧器１３を通過する際に減圧され、その後、室内熱交換器１２に送られ、当該室内熱交換器１２にて吸熱して気化する。そして、室内熱交換器１２を通過した冷媒は、アキュームレータ１５内に流入して気液分離され、液体状態の冷媒がアキュームレータ１５内に残り、ガス状態の冷媒が圧縮機１１に戻されるようになっている。
【００１１】
冷凍サイクル装置１０は、さらに蓄熱材２１を備える。この蓄熱材２１は、この場合、例えば酢酸ナトリウム三水和物などからなる潜熱蓄熱材で構成されており、圧縮機１１の周囲に配置され、空気調和機の運転時に発生する当該圧縮機１１からの排熱など蓄熱材２１の外部から得られる熱を蓄積する。潜熱蓄熱材は、融点以下の温度でも凝固せずに液体状態を維持するいわゆる過冷却特性を有しており、排熱を蓄積した過冷却状態の蓄熱材２１に内部又は外部から衝撃を与えると、当該蓄熱材２１が発核して凝固しながら放熱を開始するようになっている。
【００１２】
図２に示すように、蓄熱材２１は、圧縮機１１の全周を覆っておらず、この場合、少なくともアキュームレータ１５が取り付けられた部分を覆わないように構成されている。なお、蓄熱材２１は、圧縮機１１の全周の少なくとも半分以上を覆っていればよく、つまり、図２に示す角度Ｒが少なくとも１８０度以上であればよい。また、蓄熱材２１は、その周方向の両端部が圧縮機１１の周面から離間するように構成してもよい。また、図３に示すように、蓄熱材２１は、圧縮機１１の上部および下部を覆っていない。そして、圧縮機１１のうち蓄熱材２１に覆われていない上部には、冷媒管路１６の一部を構成する吐出管路１６１が接続されている。この吐出管路１６１は、圧縮機１１を始点および終点とする環状の冷媒管路１６の入口部分を構成するものであり、圧縮機１１から吐出される高温高圧の冷媒が通過する部分である。
そして、この吐出管路１６１には、当該吐出管路１６１の温度を検知するための吐出管路温度センサ１６２が取り付けられている。この吐出管路温度センサ１６２は、吐出管路温度検知手段の一例である。この吐出管路温度センサ１６２は、この種の冷凍サイクル装置１０に標準的に備えられる比較的安価なセンサである。この吐出管路温度センサ１６２が検知する吐出管路１６１の温度データは制御装置４１に出力される。
【００１３】
図１に示すように、冷凍サイクル装置１０は、さらに、発核手段の一例として機能する発核機構部３１を備える。この発核機構部３１は、蓄熱材２１に物理的な衝撃を与える周知の物理的構成、或いは、蓄熱材２１に電気的な衝撃を与える周知の電気的構成を備えており、過冷却状態となった蓄熱材２１に適宜衝撃を与えることにより、当該蓄熱材２１を発核させる。この発核機構部３１の駆動は、制御装置４１によって制御される。なお、発核機構部３１を実現する物理的構成としては、例えば振動子などを有する構成が考えられる。また、発核機構部３１を実現する電気的構成としては、例えば電極などを有する構成が考えられる。
【００１４】
制御装置４１は、制御プログラムを実行することにより圧縮機温度推定手段として機能する。即ち、制御装置４１は、吐出管路温度センサ１６２から入力される吐出管路１６１の温度データに基づいて、圧縮機１１の温度を推定する。より具体的に説明すると、制御装置４１は、例えば図４に示す吐出管路／圧縮機温度相関データを予め有している。この相関データは、前回の暖房運転が終了してからの経過時間に伴い変化する吐出管路１６１の温度Ｔｐと圧縮機１１の温度Ｔｃとの相関関係を示すものである。
図４に示すように、この場合、前回の暖房運転が終了してからある程度の時間、例えば６０分程が経過すると、吐出管路１６１の温度Ｔｐと圧縮機１１の温度Ｔｃとに相関が現れるようになり、吐出管路１６１の温度Ｔｐから圧縮機１１の温度Ｔｃを高い精度で推定できるようになる。また、吐出管路１６１の温度Ｔｐと圧縮機１１の温度Ｔｃとの相関関係は、前回の暖房運転が終了してからの経過時間が長くなるほど強なる傾向があり、従って、経過時間が長くなるほど、圧縮機１１の温度Ｔｃを高精度で推定できるようになる。
【００１５】
次に、上記構成の冷凍サイクル装置１０を備える空気調和機の制御の一例について説明する。ここでは、予熱運転を経て暖房運転を行う場合の制御について説明する。空気調和機の動作全般を制御する制御装置４１は、ユーザが図示しないリモコンを介して暖房運転の開始時刻（以下、「暖房運転開始時刻」と称する）を設定すると、つまり、暖房運転のタイマー起動設定を行うと、制御プログラムを実行することにより予熱運転実行手段として機能する。そして、制御装置４１は、以下の処理を開始する。
即ち、図５に示すように、制御装置４１は、まず、暖房運転開始時刻「Ｔ[Ｓ]」よりも第１所定時間「Ｔｄ[１]」前である時刻を検知時刻「Ｔ[１]」として設定し、その検知時刻「Ｔ[１]」において検知される吐出管路１６１の温度「ｔｐ[１]」から圧縮機１１の温度「ｔｃ[１]」を推定する。そして、図６に示すように、制御装置４１は、その圧縮機１１の推定温度「ｔｃ[１]」と所定温度「ｔα[１]」との大小関係を比較する（Ａ１）。制御装置４１は、「ｔα[１]≧ｔｃ[１]」の関係が成立する場合には（Ａ１：ＹＥＳ）、検知時刻「Ｔ[１]」において直ちに予熱運転および発核処理を開始する（Ａ５）。
【００１６】
また、制御装置４１は、検知時刻「Ｔ[１]」において予熱運転および発核処理を開始しなかった場合には（Ａ１：ＮＯ）、図５に示すように、暖房運転開始時刻「Ｔ[Ｓ]」よりも第２所定時間「Ｔｄ[２]」前である時刻を検知時刻「Ｔ[２]」として設定し、その検知時刻「Ｔ[２]」において検知される吐出管路１６１の温度「ｔｐ[２]」から圧縮機１１の温度「ｔｃ[２]」を推定する。なお、第２所定時間「Ｔｄ[２]」は、第１所定時間「Ｔｄ[１]」よりも短い。そして、図６に示すように、制御装置４１は、その圧縮機１１の推定温度「ｔｃ[２]」と所定温度「ｔα[２]」との大小関係を比較する（Ａ２）。制御装置４１は、「ｔα[２]≧ｔｃ[２]」の関係が成立する場合には（Ａ２：ＹＥＳ）、検知時刻「Ｔ[２]」において直ちに予熱運転および発核処理を開始する（Ａ５）。
【００１７】
また、制御装置４１は、検知時刻「Ｔ[２]」において予熱運転および発核処理を開始しなかった場合には（Ａ２：ＮＯ）、以降、暖房運転開始時刻「Ｔ[Ｓ]」よりも第３所定時間「Ｔｄ[３]」，第４所定時間「Ｔｄ[４]」，・・・，第ｎ−１所定時間「Ｔｄ[ｎ−１]」前である時刻を検知時刻「Ｔ[３]」，「Ｔ[４]」，・・・，「Ｔ[ｎ−１]」として順次設定し、その検知時刻「Ｔ[３]」，「Ｔ[４]」，・・・，「Ｔ[ｎ−１]」において順次検知される吐出管路１６１の温度「ｔｐ[３]」，「ｔｐ[４]」，・・・，「ｔｐ[ｎ−１]」から圧縮機１１の温度「ｔｃ[３]」，「ｔｃ[４]」，・・・，「ｔｃ[ｎ−１]」を順次推定する。即ち、制御装置４１は、所定の時間間隔で吐出管路１６１の温度を検知し、所定の時間間隔で圧縮機１１の温度を推定する。
【００１８】
そして、図６に示すように、制御装置４１は、その圧縮機１１の推定温度「ｔｃ[３]」，「ｔｃ[４]」，・・・，「ｔｃ[ｎ−１]」と所定温度「ｔα[３]」，「ｔα[４]」，・・・，「ｔα[ｎ−１]」との大小関係を順次比較し（Ａ３）、「ｔα[３]≧ｔｃ[３]」，「ｔα[４]≧ｔｃ[４]」，・・・，「ｔα[ｎ−１]≧ｔｃ[ｎ−１]」の関係が成立した時点で（Ａ３：ＹＥＳ）、その検知時刻「Ｔ[３]」，「Ｔ[４]」，・・・，「Ｔ[ｎ−１]」において直ちに予熱運転および発核処理を開始する（Ａ５）。なお、制御装置４１は、予熱運転および発核処理を開始することなく所定の最終時刻「Ｔ[ｎ]」になった場合には（Ａ４：ＹＥＳ）、その最終時刻「Ｔ[ｎ]」において直ちに予熱運転および発核処理を開始する（Ａ５）。そして、制御装置４１は、暖房運転開始時刻「Ｔ[Ｓ]」になると（Ａ６：ＹＥＳ）、暖房運転を開始する（Ａ７）。
【００１９】
以上の制御において、制御装置４１は、図７に示すように、所定温度「ｔα[２]」を所定温度「ｔα[１]」よりも低い温度で設定し、所定温度「ｔα[３]」を所定温度「ｔα[２]」よりも低い温度で設定し、以降、所定温度「ｔα[ｎ−１]」まで徐々に低い温度で設定していく。即ち、制御装置４１は、前回の暖房運転が終了してからの経過時間が長くなることに伴い、所定温度「ｔα」を徐々に低い温度で設定していく。
【００２０】
即ち、例えば図８に示すように、前回の暖房運転が終了してからの経過時間に応じて所定温度「ｔα[１]」を変化させない場合には、検知時刻「Ｔ[２]」で推定される圧縮機１１の温度「ｔｃ[２]」が所定温度「ｔα[１]」以下となる可能性が高くなり、従って、検知時刻「Ｔ[２]」において直ちに予熱運転および発核処理が開始される可能性が高くなる。つまり、予熱運転の開始タイミングおよび発核処理の開始タイミングが早くなる傾向となり、予熱運転の開始時刻から暖房運転の開始時刻までの総時間および発核処理の開始時刻から暖房運転の開始時刻までの総時間が長くなる。よって、必要以上に予熱運転および蓄熱材２１からの放熱が行われてしまう可能性がある。
これに対して、例えば図７に示す本実施形態によれば、前回の暖房運転が終了してからの経過時間に応じて所定温度「ｔα」を徐々に変化させていくので、早いタイミングで予熱運転および発核処理が開始される可能性が低くなり、必要以上に予熱運転および蓄熱材２１からの放熱が行われてしまうことを回避することができる。
【００２１】
以上に説明した本実施形態に係る冷凍サイクル装置１０によれば、暖房運転が開始される前に、圧縮機１１を暖めるための２つの処理、つまり、低出力で圧縮機１１を駆動する予熱運転と、蓄熱材２１を発核させる発核処理が開始される。これにより、暖房運転が開始されるまでに、予熱運転のエネルギーと蓄熱材２１の蓄熱エネルギーを利用して圧縮機１１を効率良く暖めることができ、暖房性能の向上を図ることができる。また、予熱運転および発核処理は、何れも圧縮機１１の推定温度に応じて開始される。これにより、圧縮機１１の温度が高いにも関わらず無駄に予熱運転および発核処理が開始されることを回避することができ、省エネルギー性能の向上を図ることができる。また、前回の運転時において圧縮機１１から発生した排熱、つまり、従来では有効に使われていなかった熱エネルギーを蓄積しておき、その蓄積した熱を、今回の暖房運転前において圧縮機加熱用の熱源として利用することができ、省エネルギー性能の向上を図ることができる。
【００２２】
また、冷凍サイクル装置１０によれば、圧縮機１１の推定温度に基づいて蓄熱材２１を発核させる発核処理を開始させ、その後、圧縮機１１の推定温度が所定の値である暖房開始推奨温度よりも高くなった後に圧縮機１１の駆動を開始させることで、圧縮機１１がより暖まった状態で暖房運転を開始することができ、暖房性能の一層の向上を図ることができる。なお、暖房開始推奨温度は、暖房運転を効率良く開始するために最低限必要と考えられる圧縮機１１の温度よりも高い温度で適宜設定することができる。
また、冷凍サイクル装置１０によれば、圧縮機１１の温度は、冷媒管路１６のうち圧縮機１１から吐出される冷媒が通過する部分を構成する吐出管路１６１の温度から推定される。これにより、冷凍サイクル装置１０に標準的に備えられる安価な吐出管路温度センサ１６２を用いて圧縮機１１の温度を推定することができ、その推定温度に基づき予熱運転および発核処理の開始タイミングを制御することができる。
【００２３】
また、冷凍サイクル装置１０によれば、吐出管路１６１は、圧縮機１１のうち蓄熱材２１に覆われていない部分に接続されている。これにより、吐出管路１６１には、例えば蓄熱材２１の熱など他の熱源の影響を殆ど或いは全く受けることなく圧縮機１１の温度が反映されるようになる。従って、吐出管路１６１の温度に基づく圧縮機１１の温度の推定精度を格段に向上することができる。
また、冷凍サイクル装置１０によれば、所定の時間間隔で圧縮機１１の温度が推定され、それら複数回の推定温度が所定温度以下となったことを条件に予熱運転および発核処理が開始される。これにより、予熱運転の開始タイミングおよび発核処理の開始タイミングをきめ細かく制御することができる。
【００２４】
また、冷凍サイクル装置１０によれば、予熱運転の開始タイミングおよび発核処理の開始タイミングを制御するための判断基準となる所定温度を、前回の暖房運転が終了してからの経過時間に応じて変化させる。これにより、前回の暖房運転終了からの経過時間、換言すれば、前回の暖房運転終了から徐々に低下していく圧縮機１１の温度に応じて、予熱運転の開始タイミングおよび発核処理の開始タイミングを一層きめ細かく制御することができる。
【００２５】
なお、冷凍サイクル装置１０は、予熱運転および発核処理を必ずしも同時に開始しなくてもよい。例えば、発核処理を開始してから所定時間経過後に予熱運転を開始してもよい。また、発核処理を開始するか否かを、圧縮機１１の温度変化の状況に応じて判断してもよい。即ち、予熱運転開始後の圧縮機１１の温度上昇率などに基づいて、暖房運転開始時刻までに圧縮機１１の温度が暖房運転開始時に必要な温度に達するか否かを予測し、必要な温度に達しない可能性が高い場合に発核処理を開始するように設定してもよい。
【００２６】
また、予熱運転を開始するための判断基準となる所定温度と、発核処理を開始するための判断基準となる所定温度とを異なる温度で設定してもよい。
また、冷凍サイクル装置１０は、蓄熱材２１の周囲に、例えばヒーターなどで構成される外部熱源を備えてもよい。この外部熱源によって、放熱後の蓄熱材２１を確実に融解させることにより、融け残りによる意図しない発核の発生を防止することができる。
また、冷凍サイクル装置１０は、発核機構部３１に電気的構成を備える場合には、その電源として、例えば太陽電池を用いる構成としてもよい。これにより、自然エネルギーである太陽光を利用して発核を行うことができる。
【００２７】
以上に説明した本実施形態に係る冷凍サイクル装置は、冷凍サイクル機構と、蓄熱材と、予熱運転実行手段と、発核手段と、吐出管路温度検知手段と、圧縮機温度推定手段と、を備える。冷凍サイクル機構は、圧縮機、室内熱交換器、減圧器、室外熱交換器及びアキュームレータが冷媒管路によって環状に接続された構成である。蓄熱材は、圧縮機の周囲に配置され、外部からの熱を蓄積する。予熱運転実行手段は、暖房運転が開始される前に圧縮機の駆動を開始することにより当該圧縮機を暖める予熱運転を実行する。発核手段は、暖房運転が開始される前に蓄熱材を発核させる。吐出管路温度検知手段は、冷媒管路のうち圧縮機から吐出される冷媒が通過する部分を構成する吐出管路の温度を検知する。圧縮機温度推定手段は、吐出管路温度検知手段が所定の時間間隔で検知する吐出管路の温度から圧縮機の温度を推定する。そして、予熱運転実行手段は、圧縮機温度推定手段が推定した圧縮機の温度に応じて予熱運転を開始する。発核手段は、圧縮機温度推定手段が推定した圧縮機の温度に応じて蓄熱材を発核させる。この構成によれば、圧縮機の推定温度に応じて予熱運転および発核処理を開始することができ、蓄熱材に蓄積した熱を利用して暖房性能の向上及び省エネルギー性能の向上を図ることができる。
【００２８】
上述の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００２９】
図面中、１０は冷凍サイクル装置、１１は圧縮機、１２は室内熱交換器、１３は減圧器、１４は室外熱交換器、１５はアキュームレータ、１６は冷媒管路、１６１は吐出管路、１６２は吐出管路温度センサ（吐出管路温度検知手段）、１７は冷凍サイクル機構、２１は蓄熱材、３１は発核機構部（発核手段）、４１は制御装置（予熱運転実行手段、圧縮機温度推定手段）を示す。
【図１】
2014211250.tif 000003
【図２】
2014211250.tif 000004
【図３】
2014211250.tif 000005
【図４】
2014211250.tif 000006
【図５】
2014211250.tif 000007
【図６】
2014211250.tif 000008
【図７】
2014211250.tif 000009
【図８】
2014211250.tif 000010